(57)【要約】【課題】  ケーブル内部の絶縁油の外部漏油を防止して、既設ＯＦケーブル、特にＯＦ水底ケーブルを回収する方法を提供する。【解決手段】  油ゲル化剤を含む溶液をＯＦケーブルの一端側から該ＯＦケーブルの油通路に注入した後、該ＯＦケーブルを撤去するＯＦケーブルの回収方法。また、上記の方法において、油ゲル化剤を含む溶液が油ゲル化剤をアルコール溶液に溶かした溶液であるＯＦケーブルの回収方法。【選択図】図１
2009213302.tif 000002
【特許請求の範囲】
【請求項１】
有機溶剤に油ゲル化剤を分散させた溶液をＯＦケーブルの一端側から該ＯＦケーブルの油通路に注入した後、該ＯＦケーブルを撤去することを特徴とするＯＦケーブルの回収方法。
【請求項２】
前記油ゲル化剤を含む溶液が油ゲル化剤をアルコール溶液に溶かした溶液であることを特徴とする請求項１記載のＯＦケーブルの回収方法。
【請求項３】
粘性のアルコール溶液に粉状の油ゲル化剤を分散させてＯＦケーブルの油通路に注入することを特徴とする請求項２記載のＯＦケーブルの回収方法。
【請求項４】
前記粘性のアルコール溶液が、一価のアルコールを主成分とするものであることを特徴とする請求項３記載のＯＦケーブルの回収方法。
【請求項５】
前記一価のアルコールが、エチルアルコールであることを特徴とする請求項４記載のＯＦケーブルの回収方法。
【発明の詳細な説明】
【技術分野】
【０００１】
本発明は、ＯＦケーブルの回収方法に関し、詳しくはケーブル回収時の漏油を防止したＯＦケーブル、特にＯＦ水底ケーブルの回収方法。
【背景技術】
【０００２】
使用済みとなった地中に敷設されたＯＦケーブル（ｏｉｌ−ｆｉｌｌｅｄ  ｃａｂｌｅ：油浸絶縁電力ケーブル）を撤去回収する際、従来は、ケーブルに設けられている油通路に空気を注入し、出てきた絶縁油を回収するだけで、ケーブル内に油が残った状態でケーブルの回収作業を行っていた。一方、ＯＦケーブルは、地中だけでなく、海底などの水底にも敷設されているが、上記の方法でこれらのＯＦ水底ケーブルを撤去すると、ケーブル回収中に万一ケーブルが破損した場合に、絶縁油が水中に流出して水質汚染を引き起こす可能性があった。
【０００３】
一方、特許文献１には、ＯＦケーブルにセルロース溶剤を圧入して油浸紙を溶かし油浸絶縁層を除去する工法が記載されている。しかしこの工法は、地底の管路内に敷設されたＯＦケーブルを対象としている。また、セルロース溶剤を圧入する前に、油送路を構成するスパイラル管を引き抜くことを前提とするものであり、油送路は依然、油が残ったまま回収されることになる。
また、特許文献２には、特定の油ゲル化剤、水溶性ゲル液、界面活性剤、デンプン溶液および水からなる流動型ゲル状油凝固剤を使用済み電力ＯＦケーブル油通路へ圧送し、絶縁油の残油を回収し、油通路近接層の導体部に残留の絶縁油が圧縮凝固することが記載されている。油ゲル化剤としては、ポリスチレンブロックとポリブタジエンブロックよりなるブロック共重合体からなる粉末高分子凝固剤が例示されている。
しかしこの工法では、水を主成分とする溶液中に油ゲル化剤を分散させているので、流動型ゲル状油凝固剤を調製してから時間が経過すると、油ゲル化剤が油を吸収し難くなる傾向がある問題があった。
【特許文献１】特開２００５−２８７２３１号公報
【特許文献２】特開２００６−２０６６９９号公報
【発明の開示】
【発明が解決しようとする課題】
【０００４】
本発明は、ケーブル内部の絶縁油の外部漏油を防止して、既設ＯＦケーブル、特にＯＦ水底ケーブルを効率の良く回収する方法を提供することを目的とする。
【課題を解決するための手段】
【０００５】
すなわち、本発明は、
（１）有機溶剤に油ゲル化剤を分散させた溶液をＯＦケーブルの一端側から該ＯＦケーブルの油通路に注入した後、該ＯＦケーブルを撤去することを特徴とするＯＦケーブルの回収方法、
（２）前記油ゲル化剤を含む溶液が油ゲル化剤をアルコール溶液に溶かした溶液であることを特徴とする（１）項記載のＯＦケーブルの回収方法、
（３）粘性のアルコール溶液に粉状の油ゲル化剤を分散させて前記ＯＦケーブルの油通路に注入することを特徴とする（２）項記載のＯＦケーブルの回収方法、
（４）前記粘性のアルコール溶液が、一価のアルコールを主成分とするものであることを特徴とする（３）記載のＯＦケーブルの回収方法、および、
（５）前記一価のアルコールが、エチルアルコールであることを特徴とする（４）項記載のＯＦケーブルの回収方法
を提供するものである。
【発明の効果】
【０００６】
本発明により、油通路内の油を回収でき、さらに油通路内に充填された油をゲル化剤によりケーブル内に残った油を固めることができる。油は水と混じり難いが、有機溶剤に対しては水に比べて混じり易いので、有機溶媒からなる溶液に油ゲル化剤を分散させた本発明の方法によれば、ＯＦケーブルの油が油ゲル化剤（粉末）に平均的に到達してゲル化され易く、油ゲル化剤の無駄が少ない。特許文献２に記載された工法のように、油ゲル化剤を水溶液に分散させると、油と水は混じり難いので、水により油との接触を阻害される油ゲル化剤も多く残り、油ゲル化剤の無駄が多い。本発明によれば、ＯＦケーブルの回収時にケーブルが損傷することがあっても、油の流失を防止でき、環境を保全しつつ工事を遂行できる。
また、油ゲル化剤の溶媒として粘性のあるアルコール溶液を用いると、粉状の油ゲル化剤が沈殿しにくく、分散した状態に保ちやすくなり、ＯＦケーブルの逆端まで容易に注入することができる。
【発明を実施するための最良の形態】
【０００７】
本発明のＯＦケーブルの回収方法は、油ゲル化剤を含む溶液をＯＦケーブルの一端側から油通路に注入した後、ＯＦケーブルを撤去するものである。
本発明に用いられる油ゲル化剤を含む有機溶媒からなる溶液中の油ゲル化剤の濃度は３０〜５０質量％であることが好ましい。
【０００８】
本発明において用いられる油ゲル化剤は、好ましくは、油類を吸着・ゲル化する高分子ポリマーを有効成分とするものであって、効果的な作用及び安定保存等に必要な任意の添加剤が混合された粉状の固体あっても良い。例えば、特公平８−２６２９４号公報記載のポリスチレンブロック相をポリマーの両端に有するポリブタジエンブロックポリマーからなる粉状の油固化剤を用いることができる。本発明に好ましく用いることができる市販のゲル化剤の例としては、株式会社アルファジャパン製、アルファゲル２０００（商品名）などが挙げられる。
【０００９】
有機溶媒としては、エーテル、アセトンなどを用いることも考えられるが、コストや安全面からアルコールが好ましい。ここで用いられるアルコール溶液のアルコールは、特に限定されが、例えば、一価のアルコール、二価のアルコールが好ましい。特に一価のアルコールが好ましく、その中でも一価のアルコールであるエタノールなどを挙げることができる。これらのアルコールは上記アルコール溶液中８０ｖｏｌ％以上であることが好ましい。
【００１０】
また、上記のアルコール溶液は粘性を有するものであることが好ましい。粘性のアルコール溶液を用いることで、粉状の油ゲル化剤を用いた場合、油ゲル化剤が沈殿せず、分散した状態を好適に保つことができ、ＯＦケーブルの逆端まで容易に注入することができる。
粘性のアルコール溶液としては、例えばアルコールと樹脂を練り合わせたゼリー状の溶液（アルコールジェル）を用いることができる。樹脂としては、例えばビニルポリマーを挙げることができる。また、市販の各種の増粘剤を用いても良い。
なお、それ自体が粘性の高いアルコールとしてはグリセリンがあるが、グリセリンは油ゲル化剤の油処理能力を阻害することがあるので、グリセリン自体を油ゲル化剤の溶媒として用いることは好ましくない。本発明に好ましく用いることができる市販の粘性のあるアルコール溶液の例としては、健栄製薬株式会社製、手ピカジェル（商品名、エタノール７６．９〜８１．４ｖｏｌ％にヒアルロン酸Ｎａ、グリセリン、トコフェロール酢酸エステル、カルボキシビニルポリマー、トリエタノールアミンが添加されたもの）などが挙げられる。
【００１１】
上記の粘性のあるアルコール溶液に油ゲル化剤を溶かす手順としては、まず粘性のあるアルコール溶液を準備し、これに粉状の油ゲル化剤を投入して混合する方が、粉状の油ゲル化剤にアルコール溶液を加える場合よりも、油ゲル化剤を容易に均一に分散できるので好ましい。
【００１２】
油ゲル化剤を含む溶液をＯＦケーブルの一端側から油通路内に注入する際には、圧送して注入することが好ましい。圧送には、例えば窒素ガスを用いた通常の圧送装置により行うことができる。ケーブルの油通路に圧送装置から油ゲル化剤を含む溶液を圧送して、逆端からオーバーフローする油を容易に回収することができる。圧送に用いられる窒素の圧力は０．３ＭＰａ以下であることが好ましい。
また、スパイラル状に形成された油通路の口径（通常１０〜１５ｍｍ）よりの小さな外径のチューブを油通路に通して、上記の油ゲル化剤を含む溶液注入しつつ引き抜くことにより、油ゲル化剤を含む溶液をＯＦケーブルの一端側から油通路に注入してもよい。
【００１３】
本発明の方法は、地中に敷設されたＯＦケーブルにも用いることができるが、敷設状態がＵ字状となっている水中に敷設されたＯＦ水底ケーブル（例えば、ＯＦ海底ケーブル）に好適に用いることができる。ＯＦ水底ケーブルでは、油を回収するために、一方の陸地側のケーブル末端から空気などを送入しようとすると、対岸の他端からは最初は、油が押出されてくるが、途中から空気が出てしまい、油は押出せなくなる。これに対して、本発明の方法では、例えば上記の粘性のアルコール溶液に粉状の油ゲル化剤を分散させた、油より比重の重い溶液を用いることで、より多くの油を押出すことが可能となり、残留した油に対しても油ゲル化剤の作用で固化させることができ、ケーブルの回収後に安全に処理することができる。
【００１４】
図１は、本発明の好ましい実施態様を説明する概略説明図である。ただし、本発明はこれに限定されるものではない。
図中、ＯＦケーブル１は水底に敷設され、その両端のケーブル端末２，３は陸地側のマンホール中にある。両端末２，３から給油は停止されケーブル端末２のケーブルヘッドの給油管を開放して透明耐圧ホース４によって陸上の圧送装置５と接続されている。圧送装置５には、窒素ボンベ６から減圧弁及び圧力計７を介して高圧窒素ガスが送りこまれる。また、他端のケーブル端末３のケーブルヘッドの給油管にはホース８によって陸上の回収容器９に接続されている。
【００１５】
まず、ケーブル１のスパイラル状に形成された油通路に、圧送装置５から、まず、水を圧送し、次いで、油ゲル化剤をアルコールジェルに分散させた溶液を圧送して、他方の端末３からオーバーフローした油通路内の油を、回収容器９で回収する。圧送装置５は例えば密封可能な鉄製容器であって、容器内に油ゲル化剤を入れて密封し、窒素ガスで容器内を加圧することで、ゲル化剤をケーブル１の内部に圧送することができる。
端末３からゲル化剤を含む溶液が出た後に、ホース４および８を端末２および３から切り離して両端末２，３を密封する。このとき、ケーブル１内に残留した油は、油ゲル化剤の作用により、固体化される。その後、通常の手段によりケーブル１を撤去し、回収する。
【図面の簡単な説明】
【００１６】
【図１】本発明の好ましい実施態様を説明する概略説明図である。
【符号の説明】
【００１７】
１  ＯＦケーブル
２，３  ケーブル端末
４  透明耐圧ホース
５  圧送装置
６  窒素ボンベ
７  減圧弁及び圧力計
８  ホース
９  回収容器
【図１】
2009213302.tif 000003